(57)【特許請求の範囲】
【請求項１】
一端側に複数の接触端子部が並設されたカードが挿着されるハウジングと、このハウジングのカード収納部の一端側に配列され、カードの挿入に伴い接触端子部と接続される接点部を有する複数のコネクタ端子とを備え、前記ハウジングには、前記接触端子部のうち少なくとも一つの接触端子部に対応して、カードの挿入方向に対してそれぞれ配置位置が異なる第１の接点部と第２の接点部とを配設し、カード挿着位置では前記第１の接点部と前記第２の接点部の両方が前記一つの接触端子部に接触可能とし、かつ、前記カードの挿着位置からさらにカードを奥方へオーバーストロークさせ、その最深位置では前記第１の接点部又は第２の接点部のどちらか一方は前記一つの接触端子部から外れるが他方は、常に前記一つの接触端子部に接触するように配置したことを特徴とするカード用コネクタ装置。
【請求項２】
前記第１の接点部と前記第２の接点部は、奥側からカードの挿入口側に向かって片持ち梁状に延び、カード挿入時において、まず前記第１の接点部が前記一つの接触端子部に接触し、その後、前記第２の接点部が前記一つの接触端子部に接触する構成としたことを特徴とする請求項１記載のカード用コネクタ装置。
【請求項３】
前記第１の接点部と第２の接点部とは、複数の前記コネクタ端子のうち少なくとも一つのコネクタ端子において、先端部を分割して形成したことを特徴とする請求項１、又は２記載のカード用コネクタ装置。
【請求項４】
前記第１の接点部は、前記第２の接点部に対して、カードの挿入方向に長尺となるように形成すると共に、カード挿入口側に配置し、前記第１の接点部と第２の接点部との距離をＡ、カードが挿着位置にある時の前記接触端子部に対する第１の接点部の接触位置から前記接触端子部のカード挿入口側縁部までの距離をＢ、前記接触端子部のカード挿入方向の長さをＬ、カードのオーバーストローク量をＳとした時、
Ｌ ＞Ａ ＞Ｓ −Ｂ
となることを特徴とする請求項３記載のカード用コネクタ装置。
【請求項５】
前記第１の接点部と第２の接点部とは、複数の前記コネクタ端子のうち少なくとも一つのコネクタ端子において先端を二股に分割して形成したことを特徴とする請求項３、又は４記載のカード用コネクタ装置。
【請求項６】
前記第１の接点部及び第２の接点部を有するコネクタ端子は、電源用又はグランド用のコネクタ端子であるとともに、信号ライン用のコネクタ端子に対してカードの挿入方向で長尺となるように形成されており、前記カードの挿入時において信号ライン用のコネクタ端子よりも先に前記接触端子部と接続することを特徴とする請求項１乃至５の何れかに記載のカード用コネクタ装置。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッシュ）カードなどに使用される、カード用コネクタ装置の構造に関する。
【０００２】
【従来の技術】
パーソナルコンピュータ等の増設記録装置としてＩＣカード用コネクタ装置が一般的に使用されている。このＩＣカード用コネクタ装置の記憶媒体としてはＩＣカードが広く使用さるようになってきている。
【０００３】
このＩＣカードをＩＣカード用コネクタ装置に挿着して必要な情報の書き込み、及び読み取りを行うが、ＩＣカード用コネクタ装置には、ＩＣカードの挿入時にはＩＣカードを挿着位置にロックさせると共に、排出時にはロックを解除して挿着位置からＩＣカードを排出させるロック機構を備えたものが知られている。
【０００４】
このロック機構としては、ＩＣカードの収容部を有するフレームに設けられたハート形のロックカムと、このロックカムに一端側が係合され、他端側をスライド部材に回動可能に支持されたロックピンとを備え、ＩＣカードの挿入に伴ってスライド部材が挿入方向へ移動されることにより、ロックピンの一端部がロックカムに摺動してロック及びロック解除が行われるものとなっている。
【０００５】
このロック機構においては、ＩＣカードが挿入方向へ移動されると、ロックピンがロックカム内を摺動して一旦オーバーストロークした後、挿着位置にロックされるものとなる。そして、ロックを解除するには、挿着位置にロックされた状態のＩＣカードを、一旦挿入方向へ押圧（オーバーストローク）させることにより、ロックピンがロックカムのロック部から離脱し、スライド部材を排出方向へ付勢しているコイルばねの付勢力によりＩＣカードが排出方向へ排出されるものとなっている。
【０００６】
【発明が解決しようとする課題】
上述した従来のＩＣカード用コネクタ装置の構造においては、挿着位置にあるＩＣカードを排出させるためには、一旦挿入方向へ押圧（オーバーストローク）させなければならず、ＩＣカードは挿入時及び排出時にこのオーバーストローク分だけ一旦挿着位置からカードの挿入方向（奥方）へ移動してから再び挿着位置に戻ることとなり、これに伴ってハウジング側に設けられたコネクタ端子の接点部はＩＣカードの接触端子部を後端側へ一旦摺動し、再び先端側へ摺動されることとなる。従って、ＩＣカードが挿着位置にある時の接触端子部に対するコネクタ端子の接点部の接触位置を接触端子部の後端側よりに設定すると、ＩＣカードが一旦カードの挿入方向（奥方）へ移動する時に、コネクタ端子の接点部が接触端子部から外れてしまうため、通常はＩＣカードが挿着位置にある時の接触端子部に対する接点部の接触位置は、ＩＣカードが挿着位置において接触端子部と接点部との接触が不安定にならない程度に接触端子部の先端側よりに設定することが望ましい。
【０００７】
しかしながら、例えば、接触端子部の配列が異なる２種類のＩＣカードを一つのコネクタ装置で兼用する場合や、ＩＣカード内の他の接触端子部との関係でシーケンス動作（接触するタイミングに時間差を設けたもの）が必要となった場合においては、ＩＣカードが挿着位置にある時の接触端子部に対するコネクタ端子の接点部の接触位置を接触端子部の後端側よりに設定する必要があるため、ＩＣカードが挿着位置にある時の接触端子部に対するコネクタ端子の接点部の接触位置を、接触端子部の先端側よりに設定することができないという問題があった。
【０００８】
したがって、本発明では上述した問題点を解決し、カードの挿着時に、一旦コネクタ端子の接点部がカードの接触端子部に接触した後、オーバーストロークによって接点部がカードの接触端子部から外れてしまうことを回避できるカード用コネクタ装置を提供することを目的とする。
【０００９】
【課題を解決するための手段】
上記課題を解決するために本発明では第１の手段として、一端側に複数の接触端子部が並設されたカードが挿着されるハウジングと、このハウジングのカード収納部の一端側に配列され、カードの挿入に伴い接触端子部と接続される接点部を有する複数のコネクタ端子とを備え、前記ハウジングには、前記接触端子部のうち少なくとも一つの接触端子部に対応して、カードの挿入方向に対してそれぞれ配置位置が異なる第１の接点部と第２の接点部とを配設し、カード挿着位置では前記第１の接点部と前記第２の接点部の両方が前記一つの接触端子部に接触可能とし、かつ、前記カードの挿着位置からさらにカードを奥方へオーバーストロークさせ、その最深位置では前記第１の接点部又は第２の接点部のどちらか一方は前記一つの接触端子部から外れるが他方は、常に前記一つの接触端子部に接触するように配置したことを特徴とする。
【００１０】
また、第２の手段として、前記第１の接点部と前記第２の接点部は、奥側からカードの挿入口側に向かって片持ち梁状に延び、カード挿入時において、まず前記第１の接点部が前記一つの接触端子部に接触し、その後、前記第２の接点部が前記一つの接触端子部に接触する構成としたことを特徴とする。
【００１１】
また、第３の手段として、前記第１の接点部と第２の接点部とは、複数の前記コネクタ端子のうち少なくとも一つのコネクタ端子において、先端部を分割して形成したことを特徴とする。
【００１２】
また、第４の手段として、前記第１の接点部は、前記第２の接点部に対して、カードの挿入方向に長尺となるように形成すると共に、カード挿入口側に配置し、前記第１の接点部と第２の接点部との距離をＡ、カードが挿着位置にある時の前記接触端子部に対する第１の接点部の接触位置から前記接触端子部のカード挿入口側縁部までの距離をＢ、前記接触端子部のカード挿入方向の長さをＬ、カードのオーバーストローク量をＳとした時、
Ｌ ＞Ａ ＞Ｓ −Ｂ
となることを特徴とする。
【００１３】
また、第５の手段として、前記第１の接点部と第２の接点部とは、複数の前記コネクタ端子のうち少なくとも一つのコネクタ端子において先端を二股に分割して形成したことを特徴とする。
また、第６の手段として、前記第１の接点部及び第２の接点部を有するコネクタ端子は、電源用又はグランド用のコネクタ端子であるとともに、信号ライン用のコネクタ端子に対してカードの挿入方向で長尺となるように形成されており、前記カードの挿入時において信号ライン用のコネクタ端子よりも先に前記接触端子部と接続することを特徴とする。
【００１４】
【発明の実施の形態】
以下、本発明の１実施例を図１乃至図１０に示す。図１はカード用コネクタ装置の平面図、図２は同じく側面図、図３はハウジングの平面図、図４は同じく側面図、図５はＩＣカードの平面図、図６はＩＣカードの挿着時の接触端子部とコネクタ端子の接点部との接触状態を示す説明図、図７はオーバーストローク時の接触端子部と接点部との接触状態を示す説明図、図８は他のＩＣカードの挿着時の接触端子部とコネクタ端子の接点部との接触状態を示す説明図、図９は同じくオーバーストローク時の接触端子部と接点部との接触状態を示す説明図、図１０はＩＣカードの挿着時及びオーバーストローク時の接触端子部とコネクタ端子の第１接点部及び第２接点部との接触状態を示す簡易関係図である。
【００１５】
図において、ハウジング１は、合成樹脂などの絶縁材で略Ｕ字状に形成されている。このハウジング１の中央には、導電性の金属材からなるコネクタ端子２が複数個並設されたヘッダー部１ａが設けられており、このヘッダー部１ａの両端側には、後述するＩＣカード４を挿入ガイドする、ガイドフレーム１ｂが対向されて形成されている。前記ヘッダー部１ａと前記ガイドフレーム１ｂに囲まれる部分が後述するＩＣカード４の収納部１ｃとなっており、この収納部１ｃ側に前記ヘッダー部１ａに並設された前記コネクタ端子２が突出されて形成されている。
【００１６】
複数の前記コネクタ端子２は、平板状の基部２ａと、この基部２ａから互いに対向する方向へ略Ｚ字状に屈曲されて形成された接続片２ｂ及び接触片２ｃとから形成されている。前記コネクタ端子２は、前記基部２ａが前記ハウジング１のヘッダー部１ａに設けられた係合溝１ｄに係合されて固着されるようになっており、一端側に形成された前記接続片２ｂが、前記ヘッダー部１ａの外側面の底面部から外方へ突出して配設されている。この接続片２ｂが電子機器などの外部の回路基板上の回路パターンと半田付けされて信号の伝送が行われるものとなる。また、前記基部２ａの他端側に形成された前記接触片２ｃが、前記ヘッダー部１ａの内側面の上面部からＩＣカード４の前記収納部１ｃ側に突出して配設されたものとなっている。また、前記接触片２ｃの先端側には、後述するＩＣカード４の接触端子部５に接続される接点部２ｄが形成されている。
【００１７】
また、複数の前記接触片２ｃは、並設されたお互いの間隔が、後述するＩＣカード４の接触端子部５の間隔に合わせて形成されており、この場合、図３に示す通り、右側の２本の接触片２０８ｃ、２０９ｃの間隔が若干狭く形成されている。また、左から４番目と５番目の接触片２０４ｃ、２０５ｃはその先端が二股に分割されて形成されており、それぞれの先端部には第１の接点部２０４ｄａ、２０５ｄａと第２の接点部２０４ｄｂ、２０５ｄｂがそれぞれ形成されている。また、前記第１の接点部２０４ｄａ、２０５ｄａと第２の接点部２０４ｄｂ、２０５ｄｂとは、ＩＣカードの挿入方向に対してそれぞれ配置位置が異なるようにずらして形成されており、図３に示すように、前記第１の接点部２０４ｄａ，２０５ｄａの方が前記第２の接点部２０４ｄｂ、２０５ｄｂよりもＩＣカードの挿入方向に対して手前側（挿入口側）となるように形成されている。また、前記接触片２０４ｃ及び２０５ｃは、前記二股状の第１の接点部２０４ｄａ、２０５ｄａと第２の接点部２０４ｄｂ、２０５ｄｂとがＩＣカード４の一つの接触端子部５に対応するように配設されたものとなっている。
【００１８】
前記第１の接点部２０４ｄａ、２０５ｄａと第２の接点部２０４ｄｂ、２０５ｄｂは、それぞれ前記コネクタ端子２０４と２０５に設けられており、ここでは、前記コネクタ端子２０４と２０５はグランド用又は電源用のコネクタ端子となっている。また、前記グランド用又は電源用のコネクタ端子２０４と２０５の接触片２０４ｃと２０５ｃは、他の信号ライン用のコネクタ端子２０２、２０３などの接触片２０２ｃ、２０３ｃとは、図３に示す通りお互いに異なる長さに形成されており、前記グランド用又は電源用のコネクタ端子２０４、２０５の接触片２０４ｃは、前記信号ライン用のコネクタ端子２０２、２０３の接触片２０２ｃ、２０３ｃに対して、ＩＣカード４の挿入方向に長尺となるように形成されている。
【００１９】
また、前記グランド用又は電源用のコネクタ端子２０４，２０５の前記第１の接点部２０４ｄａ、２０５ｄａと前記信号ライン用のコネクタ端子２０２、２０３の接点部２０２ｄ、２０３ｄとは、ＩＣカード４の挿入方向にお互いに異なる位置にずらせて形成されており、ＩＣカード４を挿着する時には、ＩＣカード４の各接触端子部５は、前記グランド用又は電源用のコネクタ端子２０４、２０５の前記第１の接点部２０４ｄａ、２０５ｄａと接続した後に、前記信号ライン用のコネクタ端子２０２、２０３の接点部２０２ｄ、２０３ｄと接続するように時間差を設けて形成されている。
【００２０】
上記構成によれば、ＩＣカード４の一つの接触端子部５に対応して前記グランド用又は電源用のコネクタ端子２０４、２０５の前記第１の接点部２０４ｄａ、２０５ｄａと第２の接点部２０４ｄｂ、２０５ｄｂとを配設し、前記第１と第２の各接点部はＩＣカードの挿入方向へずらして配置されていることから、ＩＣカードが挿着位置にある時に一方の接点部（ここでは第１の接点部）を前記接触端子部５の後端側よりに接触させるように設定した場合でも、オーバーストローク時には少なくともどちらか一方（ここでは第２の接点部）が前記接触端子部５に接触しているため、前記グランド用又は電源用のコネクタ端子２０４、２０５と前記接触端子部５との接触が外れてしまうことがない。
【００２１】
また、前記第１の接点部２０４ｄａ、２０５ｄａと第２の接点部２０４ｄｂ、２０５ｄｂとは、一つのコネクタ端子２０４、２０５の先端を二股に分割して形成してあることから、各接点部の接触圧を同じにすることができ、接触も安定する。
【００２２】
また、前記コネクタ端子２０４、２０５は、グランド用又は電源用のコネクタ端子であり、グランド用又は電源用のコネクタ端子はシーケンス動作時には最も先に前記接触端子部５と接触する必要があることから、前記コネクタ端子２０４、２０５の先端を二股に分割して形成することで、ＩＣカード４が挿着位置にある時に前記第１の接点部２０４ｄａ、２０５ｄａを前記接触端子部５の後端側よりに効果的に配置させることができるものとなっている。
【００２３】
また、ＩＣカード４が挿着位置にある時に前記第１の接点部２０４ｄａ、２０５ｄａを前記接触端子部５の後端側よりに配置することができるため、シーケンス動作させるための他の信号ライン用のコネクタ端子２０２、２０３等の接点部２０２ｄ、２０３ｄとの間の距離を十分に確保することができるものとなる。
また、ＩＣカード４の挿着時に、ＩＣカード４が振動などでがたつき排出方向へ少し移動したとしても他の信号ライン用コネクタ端子２０２、２０３等が接触端子部５から外れることがない。
【００２４】
前記ガイドフレーム１ｂには、後述するＩＣカード４を挿入する際、ＩＣカード４の側面をガイドして前記収納部１ｃに案内するガイド溝１ｅが設けられている。また、一方のガイドフレーム１ｂには、図示しないＩＣカード４を案内するスライド部材をＩＣカード４の収納位置にロックさせるためのロック部１ｆを有するハート形のロックカム１ｇと、スライド部材を排出方向へ付勢する付勢部材であるコイルばね（図示せず）を収納するばね収納部１ｈが設けられている。また、他方のガイドフレーム１ｂには、図示しないライトプロテクトスイッチ（書き込み禁止用検出スイッチ）を収納するスイッチ収納部１ｉが設けられている。
【００２５】
カバー部材３は、導電性の金属材で略逆Ｕ字状に形成されており、平板状の上板部３ａと、対向した側板部３ｂとから形成されている。前記上板部３ａには、前記接触片２ｃに対応して複数の窓孔部３ｃが設けられ、また、ＩＣカード４の挿入側には開口された開口部３ｄが形成されている。また、前記側板部３ｂには、アース端子３ｅが設けられており、このアース端子３ｅを図示しない電子機器などの回路基板のアースパターンに接続することでＩＣカード４及びカード用コネクタ装置のシールドを行っている。前記カバー部材３は、前記ハウジング１のヘッダー部１ａ及び前記コネクタ端子２を覆うように、前記ハウジング１上に係合されるものとなっている。
【００２６】
ＩＣカード４は、内部に集積回路（ＩＣ）が収納されており、記録媒体として広く使用されているものである。このＩＣカード４の一表面には、その一端側に複数の接触端子部５が形成されており、この接触端子部５が前記ハウジング１の収納部１ｃに収納されて、前記ヘッダー部１ａに配設された複数の接触片２ｃと接触することにより、外部に接続された電子機器との種々の情報処理が行われるものとなっている。
【００２７】
複数の前記接触端子部５には、データ伝送用として使用される信号ライン用の接触端子部５ａと、グランド用と電源用の接触端子部５ｂとが設けられており、この場合、通常、信号ライン用の接触端子部５ａの一つはカード検出用の接触端子部と兼用となっている。例えば、図５に示すＩＣカード４においては、左から２番目の接触端子部５がカード検出用の接触端子部兼用の信号ライン用の接触端子部５０２ａとなっており、また、左から４番目、５番目の接触端子部５がグランド用又は電源用の接触端子部５０４ｂ、５０５ｂとなっている。
【００２８】
また、前記ＩＣカード４には、前記接触端子部５の形成側のその一隅部に、斜面状の切り欠き部４ａが設けられている。この切り欠き部４ａに図示しないスライド部材を係合させることによって、スライド部材が前記ＩＣカード４の挿入に伴って挿入方向へ移動可能となるように形成されている。
【００２９】
また、前記ＩＣカード４の一側面部には、ＩＣカードの書き込み禁止を示す識別部である凹溝部４ｂが形成され、この凹溝部４ｂにはスライド可能な突起部４ｃが設けられている。この突起部４ｃをスライド移動させることにより、前記凹溝部４ｂの位置を変更することができ、この位置に応じてＩＣカードへの書き込みの可否を変更することが可能となっている。
【００３０】
次に、ＩＣカード４が前記ハウジング１に挿着される状態について説明する。前記ＩＣカード４を前記ハウジング１に収納するには、ＩＣカード４を前記ハウジング１の収納部１ｃの開口側から挿入する。この時、前記ＩＣカード４の切り欠き部４ａと図示しないスライド部材が係合され、スライド部材は前記ＩＣカード４と共に挿入方向へ移動されて、図示しないロックピンが前記ロックカム１ｇ内を摺動し、オーバーストロークした後、ロック部１ｆにロックされる。この状態で、前記ＩＣカード４は収納位置に挿着されるものとなる。
【００３１】
この時、図６及び図８に示すように、前記ＩＣカード４の先端側に設けられた前記接触端子部５は、前記ヘッダー部１ａに並設された前記コネクタ端子２の接触片２ｃと接続されるものとなる。この場合、前記接触端子部５のうちグランド用又は電源用の接触端子部５０４ｂ、５０５ｂ（図５の左から４番目、５番目）は、前記グランド用又は電源用のコネクタ端子２０４、２０５（図３の左から４番目、５番目）に対応していることから、このグランド用又は電源用の接触端子部５０４ｂ、５０５ｂに、前記グランド用又は電源用のコネクタ端子２０４、２０５の第１の接点部２０４ｄａ、２０５ｄａと第２の接点部２０４ｄｂ、２０５ｄｂが接続されるものとなる。
【００３２】
図６及び図８は異なる種類のＩＣカード４０１、４０２を使用した状態を示しており、ＩＣカード４０１と４０２とでは前記接触端子部５の配置位置が若干異なっている。この場合、ＩＣカードの挿着位置においては、前記接触端子部５と前記各コネクタ端子２の接点部２ｄとは安定した接触を保っている。しかしながら、図７及び図９に示すようにＩＣカードのオーバーストローク時には、ＩＣカード４０１の方（図７）は前記グランド用又は電源用のコネクタ端子２０４、２０５の第１の接点部２０４ｄａ、２０５ｄａと第２の接点部２０４ｄｂ、２０５ｄｂとが両方とも前記接触端子部５と接触しているが、ＩＣカード４０２の方（図９）は前記第２の接点部２０４ｄｂ、２０５ｄｂは前記接触端子部５と接触しているが、前記第１の接点部２０４ｄａ、２０５ｄａが前記接触端子部５の後端側から外れて接触していない状態となっている。
【００３３】
このように、異なる種類のＩＣカードを使用した時に、オーバーストローク時に前記第１の接点部２０４ｄａ，２０５ｄａが前記接触端子部５から外れても、前記第２の接点部２０４ｄｂ、２０５ｄｂが接触しているため、安定した接触が得られるものとなっている。
【００３４】
この場合、図６及び図８に示すように、前記グランド用又は電源用のコネクタ端子２０４、２０５の第１の接点部２０４ｄａ、２０５ｄａ（図６Ｃ、図８Ｃ）と、前記信号ライン用のコネクタ端子２０２、２０３等の接点部２０２ｄ（図６Ａ、図８Ａ）、２０３ｄ（図６Ｂ、図８Ｂ）とはシーケンス動作を行う必要があるため、ＩＣカードの挿着位置において挿入方向の異なる位置にずらせて形成してある（図６、図８にＬ１、Ｌ２で示す）。また、前記グランド用又は電源用のコネクタ端子２０４、２０５はシーケンス動作時には最も先に前記接触端子部５と接触する必要があることから、前記第１の接点部２０４ｄａ、２０５ｄａを前記接触端子部５の後端側よりに配置させるようにしている。
【００３５】
図１０は、ＩＣカード４の挿着時及びオーバーストローク時の前記接触端子部５と前記グランド用又は電源用のコネクタ端子２０４、２０５の第１の接点部２０４ｄａ、２０５ｄａと第２の接点部２０４ｄｂ、２０５ｄｂとの接触状態を示す関係図で、この場合、前記第１の接点部２０４ｄａ、２０５ｄａは、前記第２の接点部２０４ｄｂ、２０５ｄｂに対して、カードの挿入方向（矢印Ｘ）に長尺となるように形成されていると共にＩＣカード４の挿入口側に配置されている。
【００３６】
ここで、前記第１の接点部２０４ｄａ、２０５ｄａと第２の接点部２０４ｄｂ、２０５ｄｂとの距離をＡ、ＩＣカード４が挿着位置にある時の前記接触端子部５に対する前記第１の接点部２０４ｄａ、２０５ｄａの接触位置から前記接触端子部５のＩＣカード４の挿入口側縁部までの距離をＢ、前記接触端子部５のＩＣカード４の挿入方向の長さをＬ、ＩＣカード４のオーバーストローク量をＳとした時、それらの関係が、
Ｌ＞Ａ＞Ｓ−Ｂ
となるように形成されている。この場合Ｌは既定値（カード規格）である。
【００３７】
上記関係式によれば、前記第１の接点部２０４ｄａ、２０５ｄａと第２の接点部２０４ｄｂ、２０５ｄｂとの距離Ａは、Ｓ−Ｂの値より常に大きく、且つＬの値より常に小さく設定されていることから、確実に、前記第２の接点部２０４ｄｂ、２０５ｄｂは前記接触端子部５と接触状態を維持することとなり、常に安定した接触が得られるものとなる。
【００３８】
このように、ＩＣカード４の一つの接触端子部５に対応して前記グランド用又は電源用のコネクタ端子２０４、２０５の前記第１の接点部２０４ｄａ、２０５ｄａと第２の接点部２０４ｄｂ、２０５ｄｂとを配設し、前記第１と第２の各接点部はＩＣカードの挿入方向へずらして配置されていることから、ＩＣカードが挿着位置にある時に前記第１の接点部２０４ｄａ，２０５ｄａを前記接触端子部５の後端側よりに接触させるように設定した場合でも、オーバーストローク時には前記第２の接点部２０４ｄｂ、２０５ｄｂが前記接触端子部５に接触しているため、前記グランド用又は電源用のコネクタ端子２０４、２０５と前記接触端子部５との接触が外れてしまうことがなく、常に安定した接触が得られるものとなっている。
【００３９】
また、前記グランド用又は電源用のコネクタ端子２０４、２０５の接触片２０４ｃ、２０５ｃは、前記信号ライン用のコネクタ端子２０２、２０３等の接触片２０２ｃ、２０３ｃに対して、ＩＣカード４の挿入方向に長尺となるように形成されており、前記グランド用又は電源用のコネクタ端子２０４、２０５の第１の接点部２０４ｄａ、２０５ｄａと前記信号ライン用のコネクタ端子２０２、２０３の接点部２０２ｄ、２０３ｄとは、前記ＩＣカード４の挿入方向にお互いに異なる位置にずらせて形成されていることから、前記ＩＣカード４を挿入するのに伴って、前記グランド用又は電源用の接触端子部５０４ｂ、５０５ｂは、まず最初に、前記グランド用又は電源用のコネクタ端子２０４、２０５の第１の接点部２０４ｄａ、２０５ｄａと接触する。そして、更に前記ＩＣカード４が挿入されると、前記信号ライン用のコネクタ端子２０２、２０３の接点部２０２ｄ、２０３ｄと接触するものとなる。
【００４０】
このように、前記グランド用又は電源用のコネクタ端子２０４、２０５の第１の接点部２０４ｄａ、２０５ｄａと前記信号ライン用のコネクタ端子２０２、２０３の接点部２０２ｄ、２０３ｄとは時間差を設けて接続されるようになっているため、ＩＣカードの挿着時におけるシーケンス動作を確実に行うことができるものとなっている。
【００４１】
次に、前記ＩＣカード４を前記収納部１ｃの収納位置から排出させるには、図示しないロックピンと前記ロック部１ｆとの係合を解除するために、ＩＣカード４を一旦挿入方向へ押圧（オーバーストローク）することとなる。この挿入方向へ押圧することにより、前記ＩＣカード４の移動に伴ってスライド部材もＩＣカードの挿入方向へ移動されることとなり、この時、ロックピンが前記ロック部１ｆから外れて図示しないコイルばねの付勢力により初期位置へ排出されるものとなっている。
【００４２】
尚、上記実施例では、前記グランド用又は電源用のコネクタ端子２０４、２０５の第１の接点部２０４ｄａ、２０５ｄａと第２の接点部２０４ｄｂ、２０５ｄｂとは、一つのコネクタ端子の先端を二股に分割して形成したが、本発明はこれに限定されるものではなく、先端を二股に分割しないで途中にＵ字状のスリット部を設け、このスリット部によって分割された切り起こし部を第２の接点部２０４ｄｂ、２０５ｄｂとしてもよい。
この場合には、構造が簡易となり加工性が向上する。
【００４３】
また、一つのコネクタ端子ではなく、別の二つのコネクタ端子にそれぞれ第１の接点部２０４ｄａ、２０５ｄａ、と第２の接点部２０４ｄｂ、２０５ｄｂを形成するようにしてもよい。この時、第１の接点部と第２の接点部とは外部の回路基板上で電気的に接続するようにしておけばよい。
この場合には、第１の接点部２０４ｄａ、２０５ｄａと第２の接点部２０４ｄｂ、２０５ｄｂとが一つの接触端子部５に対してそれぞれ独立して配設されるため、振動などがあってもどちらか一方の接点部が接触端子部と接触するので、接触をより確実なものとすることができる。
【００４４】
【発明の効果】
以上説明したように、本発明のカード用コネクタ装置は、カードに配設された一つの接触端子部に対応して、ハウジングにカードの挿入方向に対してそれぞれ配置位置が異なる第１の接点部と第２の接点部とを配設し、カード挿着位置では第１の接点部と第２の接点部の両方が一つの接触端子部に接触可能とし、かつ、カードの挿着位置からさらにカードを奥方へオーバーストロークさせ、その最深位置では第１の接点部又は第２の接点部のどちらか一方は一つの接触端子部から外れるが他方は、常に一つの接触端子部に接触するように配置したことから、カードの挿着時に、オーバーストロークによってコネクタ端子の接点部とカードの接触端子部との接触が外れてしまうことがなく、常に安定した接触が得られる。
【００４５】
また、第１の接点部と第２の接点部とは、複数のコネクタ端子のうち、一つのコネクタ端子の先端部を分割して形成したことから、構成が簡易となり加工性が向上する。
【００４６】
また、第１の接点部は、第２の接点部に対して、カードの挿入方向に長尺となるように形成すると共に、カード挿入口側に配置し、第１の接点部と第２の接点部との距離をＡ、カードが挿着位置にある時の接触端子部に対する第１の接点部の接触位置から接触端子部のカード挿入口側縁部までの距離をＢ、接触端子部のカード挿入方向の長さをＬ、カードのオーバーストローク量をＳとした時、
Ｌ＞Ａ＞Ｓ−Ｂ
となるようにしたことから、オーバーストローク時には、確実に第２の接点部が接触端子部と接触するように設定されているため、常に安定した接触が得られる。
【００４７】
また、第１の接点部と第２の接点部とは、複数のコネクタ端子のうち、一つのコネクタ端子の先端を二股に分割して形成したことから、各接点部の接触圧を同じにすることができ、接触の安定が図れる。
【００４８】
また、第１の接点部及び第２の接点部を有するコネクタ端子は、電源用又はグランド用のコネクタ端子であることから、グランド用又は電源用のコネクタ端子はシーケンス動作時には最も先に接触端子部と接触する必要があるため、カードが挿着位置にある時に第１の接点部を接触端子部の後端側よりに効果的に配置させることができる。
【図面の簡単な説明】
【図１】本発明の１実施例であるカード用コネクタ装置を示す平面図である。
【図２】本発明の同じくカード用コネクタ装置を示す側面図である。
【図３】本発明の同じくハウジングを示す平面図である。
【図４】本発明の同じくハウジングを示す側面図である。
【図５】本発明のＩＣカードを示す平面図である。
【図６】本発明のＩＣカードの挿着時の接触端子部とコネクタ端子の接点部との接触状態を示す説明図である。
【図７】本発明のオーバーストローク時の接触端子部と接点部との接触状態を示す説明図である。
【図８】本発明の他のＩＣカードの挿着時の接触端子部とコネクタ端子の接点部との接触状態を示す説明図である。
【図９】本発明の同じくオーバーストローク時の接触端子部と接点部との接触状態を示す説明図である。
【図１０】本発明のＩＣカードの挿着時及びオーバーストローク時の接触端子部とコネクタ端子の第１接点部及び第２接点部との接触状態を示す簡易関係図である。
【符号の説明】
１  ハウジング
１ａ  ヘッダー部
１ｂ  ガイドフレーム
１ｃ  収納部
１ｄ  係合溝
１ｅ  ガイド溝
１ｆ  ロック部
１ｇ  ロックカム
１ｈ  ばね収納部
１ｉ  スイッチ収納部
２  コネクタ端子
２ａ  基部
２ｂ  接続片
２ｃ  接触片
２ｄ  接点部
３  カバー
３ａ  上板部
３ｂ  側板部
３ｃ  窓孔部
３ｄ  開口部
３ｅ  アース端子
４  ＩＣカード
４ａ  切り欠き部
４ｂ  凹溝部
４ｃ  突起部
５  接触端子部
５ａ  信号ライン用接触端子部
５ｂ  グランド用電源用接触端子部
２０２，２０３  信号ライン用コネクタ端子
２０２ｃ，２０３ｃ  信号ライン用接触片
２０２ｄ，２０３ｄ  信号ライン用接点部
２０４，２０５  グランド用電源用コネクタ端子
２０４ｃ，２０５ｃ  グランド用電源用接触片
２０４ｄａ，２０５ｄａ  第１のグランド用電源用接点部（第１の接点部）
２０４ｄｂ，２０５ｄｂ  第２のグランド用電源用接点部（第２の接点部）
５０２ａ，５０３ａ  信号ライン用接触端子部
５０４ｂ，５０５ｂ  グランド用電源用接触端子部
【図１】
0003729720.tif 000002
【図２】
0003729720.tif 000003
【図３】
0003729720.tif 000004
【図４】
0003729720.tif 000005
【図５】
0003729720.tif 000006
【図６】
0003729720.tif 000007
【図７】
0003729720.tif 000008
【図８】
0003729720.tif 000009
【図９】
0003729720.tif 000010
【図１０】
0003729720.tif 000011